(57)【要約】      （修正有）【課題】省力化を実現しながらも、強度と耐久性を高める木製立体トラス部材の格子材と斜材の接合金具を提供する。【解決手段】接合金具１は一枚の正方形の板状金物で、木口加工が施されたトラス部材の斜材４の４本を組み合すための穴３が、金具１の４隅に設けられており、その４隅は、トラスを構成する際の格子材５と斜材４の角度に合わせて折り曲げられ、金具１の中心には格子材に固定するための取付穴２が形成されている。【選択図】図３
0003187953.tif 000002
【実用新案登録請求の範囲】
【請求項１】
木製トラス構造物の格子材と斜材を接続するための接合金具であって、格子材同士の相欠き加工で形成される交叉部に、４本の斜材を接合するにあたり効率化を図ること、を特徴とする金具。
【請求項２】
放射状に配置される４本の斜材を、金具の４隅の折り曲げ部に設けている取付穴で結合させ、木口の加工部を格子材の交叉部の各隅にあてがい、金具の中心部に設けている取付穴で格子材交叉部の中心点に接合する、ことを特徴とする金具。
【考案の詳細な説明】
【技術分野】
【０００１】
本考案は、木製立体トラスの部材である格子材と斜材の接合用金具に関するものである。
【背景技術】
【０００２】
立体トラスは小断面材で構成されることから、経済的かつ軽量で剛性の高い面材で、その強度は三角形不変の原理を基に、圧縮力・引張力のバランスにより生まれる。
【０００３】
斜材と格子材の接合の方法は、ボウルワッシャーなど特殊金具を使用する方法などもあるが、本考案の対象は木口を加工した斜材を、格子にビスなどで取り付ける簡易な方法によるものである。
【０００４】
その工法は、直行する角材を相欠きで組み合わせて作った二組の格子の間に、両木口を加工した角材である斜材を、格子の各接点に４本ずつ取り付け一体化させ、四角錐体からなる木製立体トラスを構成するものである。
【０００５】
斜材の木口の加工は、格子材の交叉部に適合するよう工夫され、その芯の延長線が格子材の交叉部の中心点を通過するようにされており、そのことにより全体を盤状にする剛性が生まれる。
【０００６】
トラス全体の強度は、各材の太さと面体の高さで決まるが、材通しの堅固な接合が前提となる。また格子の間隔の調整により、トラス全体を曲面で表現することができる。
【先行技術文献】
【特許文献】
【０００７】
【特許文献１】実開平６−３５４０３号公報
【考案の概要】
【考案が解決しようとする課題】
【０００８】
以上の技術によれば、斜材を一本ずつビスで格子交叉部に取り付ける際、木材の微細な形状の違いや変形により、斜材と格子材の一体化に時間と労力を強いていた。特に曲面体ではその度合いが増す。
【０００９】
また、斜材と格子材の接合部の強度に不足が生じやすく、かつ屋外での使用の場合、その部への湿気、紫外線等による劣化が懸念されていた。
【００１０】
そこで、この考案は、省力化を実現しながらも強度と耐久性を高める工法を提供することを課題とする。
【課題を解決するための手段】
【００１１】
以上の課題を解決するために、この考案は、接合部での使用においてそれぞれの効果を発揮することを特徴とする金具である。
【考案の効果】
【００１２】
格子交叉部に向けて、４本の斜材を一本ずつビスで打つ従来の方法が、斜材同士を先に緊結させてからの一度のビス打ちになる。当金具の使用により、その作業の省力化が実現する。
【００１３】
格子の交叉部に４本のビスが集中し、かつ斜材の先端に打つため細く短いビスを使用せざるを得なかったもの（従来法）が、この金具の使用により各材に対し十分な径・長さのビスの使用が可能となり、その接合度は増す。
【００１４】
また格子交叉部に対しての締付の際、蓄積された金具のもつ弾性エネルギーの作用で、各斜材間の密着度を増す効果も生じる。
【００１５】
当金具が接合部を覆うことにより湿気、紫外線等からの保護の度合いが増す。
【図面の簡単な説明】
【００１６】
【図１】金具の形状を示す平面図である。
【図２】この考案の実施形態を示す断面図である。
【図３】この考案の実施形態を示す平面図である。
【図４】この考案の実施形態を示す拡大図である。
【図５】斜材の木口の加工形状を示す斜視図である。
【図６】トラス全体の姿を斜視図で示す。
【考案を実施するための形態】
【００１７】
この考案の実施形態を、図面を参照して説明する。図６は、本考案の対象となるトラスの概略斜視図で、上下２組の格子と斜材で構成されている。図５はその構成に重要な役割を持つ斜材の木口加工形状を示す。
【００１８】
図１は、本考案の金具の平面図で、図２で取り付けの状態を断面で示し金具の断面形状も示している。
【実施例１】
【００１９】
実施の手順は、斜材の符号６の位置で符号３の金具穴にて、４本の斜材と金具をビスで固定させる。次に、揃えられた斜材の先端を格子の交叉中心部にあてがい、符号２の金具中央の穴から、ビスで格子の交叉する中心部に締め付け一体化させる。
【００２０】
金具の大きさは、格子と斜材の交叉部全体をカバーするサイズが妥当である。格子材と斜材の幅が同じ場合、金具の一辺の長さは材の幅の２．３倍が適当である。金具の材質と厚みは、トラスの規模に応じて勘案される。なお、４隅の折り曲げの角度は３５．３度である。
【００２１】
従来法では、４本の斜材の先端部とビス頭のズレやその部分の割れが生じやすいが、この考案実施形態によれば、当金具で覆われるため美観の点からも改善される。
【００２２】
接合金具にボウルワッシャーなどを使う工法にくらべ、同等またはそれ以上の強度と耐久性、また省力化が期待でき、かつ金具の簡易な構造により経済性も優位である。
【実施例２】
【００２３】
符号２の金具穴で格子との取り付け材をビスとしているが、他の実施形態ではボルトを使用することで、一層の強度を増すことも可能である。
【実施例３】
【００２４】
当金具の４角を、隅切りカットまたはアール加工を施すことで意匠性が増す。
【産業上の利用可能性】
【００２５】
従来法では組立時の煩雑さが完成品としての出荷を強いていたが、この実施形態によれば、省力化の実現で現場組立が容易となり、また強度が増すことからも、運搬トラックの大きさに応じての分割搬入が可能になる。このことは、大型事案の対応を可能とする。
【符号の説明】
【００２６】
１    木製トラス材接合金具
２    格子材への金具穴
３    斜材への金具穴
４    斜材
５    格子材
６    斜材のビス打ち位置
【図１】
0003187953.tif 000003
【図２】
0003187953.tif 000004
【図３】
0003187953.tif 000005
【図４】
0003187953.tif 000006
【図５】
0003187953.tif 000007
【図６】
0003187953.tif 000008
【手続補正書】
【提出日】平成25年10月10日(2013.10.10)
【手続補正１】
【補正対象書類名】実用新案登録請求の範囲
【補正対象項目名】全文
【補正方法】変更
【補正の内容】
【実用新案登録請求の範囲】
【請求項１】
木製立体トラス構成の際、格子材の交叉部に、木口加工を施した斜材を効率的に接続するための接合金具であって、正方形の板状金物の四隅を格子材と斜材が為す角度で折り曲げ、その部分に各斜材の取付穴を４ヶ所、金物の中心部に格子材の取付穴１ヶ所、を設けていることを特徴とする金具。
【請求項２】
木製立体トラスを構成する、放射状に配置される４本の斜材を、金具の四隅の折り曲げ部に設けている取付穴で各々の先端が一致するように結合させ、木口の加工部を格子材の交叉部の各隅にあてがい、金具の中心部に設けている取付穴で格子材交叉部の中心点に接合する、ことを特徴とする請求項１に記載の金具。